(57)【要約】【課題】異なる画質のコンテンツを再生可能な複数の映像再生装置を用いてコンテンツを再生する際の操作性を向上させる。【解決手段】表示制御システムＳ１は、第１画質の映像を再生可能な第１映像再生端末１と、第１画質と異なる第２画質の映像を再生可能な第２映像再生端末２と、リモコン４から、再生する映像を選択するための選択信号を受信する受信部１１と、受信部１１が選択信号を受信すると、第１映像再生端末１が再生した第１画質の映像をディスプレイ３に表示させ、受信部１１が選択信号を受信してから所定の時間が経過した後に、第２映像再生端末２が再生した第２画質の映像をディスプレイ３に表示させる第２表示制御部２１と、を有する。【選択図】図１
2017058431.tif 000002
【特許請求の範囲】
【請求項１】
第１画質の映像を再生可能な第１端末と、
前記第１画質よりと異なる第２画質の映像を再生可能な第２端末と、
操作デバイスから、再生する映像を選択するための選択信号を受信する受信手段と、
前記受信手段が前記選択信号を受信すると、前記第１端末が再生した前記第１画質の映像を表示装置に表示させ、前記受信手段が前記選択信号を受信してから所定の時間が経過した後に、前記第２端末が再生した前記第２画質の映像を前記表示装置に表示させる表示制御手段と、
を有する表示制御システム。
【請求項２】
前記表示制御手段は、前記第２端末が前記第２画質の映像を再生できる状態になったタイミングで、前記第１画質の映像を前記第２画質の映像に切り替える、
請求項１に記載の表示制御システム。
【請求項３】
前記表示制御手段は、前記第１端末が前記第１画質の映像を再生できるタイミングと、前記第２端末が前記第１画質の映像に対応する前記第２画質の映像を再生できるタイミングとの時間差に基づいて、第２画質の映像を表示させるタイミングを制御する、
請求項１に記載の表示制御システム。
【請求項４】
前記表示制御手段は、前記第２端末がネットワーク経由で前記第２画質の映像を受信するために要する時間が、前記第１端末が前記第１画質の映像を受信するために要する時間よりも長い場合に、前記選択信号を受信してから前記時間差に相当する時間だけ再生時刻が前記第２画質の映像と異なる前記第１画質の映像を表示させる、
請求項３に記載の表示制御システム。
【請求項５】
前記第１端末は、前記第１画質の映像に含まれる再生時刻情報に基づくタイミングで、前記第１画質の映像を再生し、前記第２端末は、前記第２画質の映像に含まれる再生時刻情報に基づくタイミングで、前記第２画質の映像を再生する、
請求項１から４のいずれか１項に記載の表示制御システム。
【請求項６】
前記第２端末は、前記所定の時間が経過した後に、前記第２画質よりも低い画質の映像を再生してから、前記第２画質に近づくように画質を変化させた映像を再生する、
請求項１から５のいずれか１項に記載の表示制御システム。
【請求項７】
前記第２端末は、
前記第１端末から受信した前記第１画質の映像と、ネットワークを介して受信した前記第２画質とを切り替える切替手段と、
前記切替手段が切り替えた映像を前記表示装置に出力する出力手段と、
を有し、
前記表示制御手段は、前記所定の時間が経過した後に、前記切替手段に対して、前記第１画質の映像から前記第２画質の映像に切り替えるための指示を出力し、
前記切替手段は、前記指示に応じて前記第１画質の映像を前記第２画質の映像に切り替える、
請求項１から６のいずれか１項に記載の表示制御システム。
【請求項８】
第１画質の映像を再生可能な端末から前記第１画質の映像を受信する第１受信手段と、
前記第１画質と異なる第２画質の映像をネットワーク経由で受信する第２受信手段と、
操作デバイスから出力された、再生する映像を選択するための選択信号を受信する第３受信手段と、
前記受信手段が前記選択信号を受信すると、前記第１画質の映像を表示装置に表示させ、前記選択信号を受信してから所定の時間が経過した後に、前記第２画質の映像を前記表示装置に表示させる表示制御手段と、
を有する表示制御装置。
【請求項９】
外部装置から第１画質の映像を受信するステップと、
前記外部装置から前記第１画質と異なる第２画質の映像を受信するステップと、
操作デバイスから出力された、再生する映像を選択するための選択信号を受信するステップと、
受信した前記選択信号に応じて、前記第１画質の映像を表示装置に表示させるステップと、
前記選択信号を受信してから所定の時間が経過した後に、前記第２画質の映像を前記表示装置に表示させるステップと、
を有する表示制御方法。
【発明の詳細な説明】
【技術分野】
【０００１】
本発明は、映像をディスプレイに表示する表示制御システム、表示制御装置及び表示制御方法に関する。
【背景技術】
【０００２】
従来、デジタル放送コンテンツを受信するセットトップボックス及びテレビ等のデジタル放送受信装置が知られている。特許文献１には、ザッピング時に低画質の映像を表示させた後に、低画質の映像の輝度を下げてから高画質の映像の輝度を上げることにより、切り替え時に生じる違和感を小さくすることができるデジタル放送受信装置が開示されている。
【先行技術文献】
【特許文献】
【０００３】
【特許文献１】特開２００９−２４６９２８号公報
【発明の概要】
【発明が解決しようとする課題】
【０００４】
デジタル放送コンテンツを再生する映像再生装置は、多様化が進んでおり、放送局からデジタル放送用の無線回線を介して受信する映像再生装置だけでなく、インターネットを介して受信する映像再生装置も提供されている。また、スマートフォンのような携帯端末が、携帯電話回線を介してデジタル放送コンテンツを受信することもできる。
【０００５】
ところが、再生可能なデジタル放送コンテンツの画質は、映像再生装置によって異なる場合がある。例えば、従来から使用されてきた映像再生装置においては、第１画質（１９８０×１０８０画素）の画像しか再生できないにもかかわらず、最新の映像再生装置では、第２画質（３８４０×２１６０画素）の画像を再生できる場合がある。そして、それぞれの映像再生装置で、デジタル放送コンテンツを受信してから再生を開始できるまでの時間が異なる場合がある。
【０００６】
このように、デジタル放送コンテンツを再生可能な映像再生装置が混在している場合、ユーザが、個々の映像再生装置をリモコンで操作するのは煩雑である。そこで、単一のリモコンで一元的に操作をできるようにすることが求められている。しかしながら、それぞれの映像再生装置でデジタル放送コンテンツを受信してから再生を開始できるまでの時間が異なると、ユーザが違和感を抱いてしまうという問題があった。例えば、第１画質のコンテンツを再生できる映像再生装置でチャネルを切り替える時には短時間で切り替わるにもかかわらず、第２画質のコンテンツを再生できる映像再生装置でチャネルを切り替える時は、チャネル切り替えに長時間を要することは好ましくない。
【０００７】
そこで、本発明はこれらの点に鑑みてなされたものであり、異なる画質のコンテンツを再生可能な複数の映像再生装置を用いてコンテンツを再生する際の操作性を向上させることができる表示制御システム、表示制御装置及び表示制御方法を提供することを目的とする。
【課題を解決するための手段】
【０００８】
本発明の第１の態様においては、第１画質の映像を再生可能な第１端末と、前記第１画質と異なる第２画質の映像を再生可能な第２端末と、操作デバイスから、再生する映像を選択するための選択信号を受信する受信手段と、前記受信手段が前記選択信号を受信すると、前記第１端末が再生した前記第１画質の映像を表示装置に表示させ、前記受信手段が前記選択信号を受信してから所定の時間が経過した後に、前記第２端末が再生した前記第２画質の映像を前記表示装置に表示させる表示制御手段と、を有する表示制御システムを提供する。
【０００９】
前記表示制御手段は、例えば、前記第２端末が前記第２画質の映像を再生できる状態になったタイミングで、前記第１画質の映像を前記第２画質の映像に切り替える。前記表示制御手段は、前記第１端末が前記第１画質の映像を再生できるタイミングと、前記第２端末が前記第１画質の映像に対応する前記第２画質の映像を再生できるタイミングとの時間差に基づいて、第２画質の映像を表示させるタイミングを制御してもよい。
【００１０】
前記表示制御手段は、前記第２端末がネットワーク経由で前記第２画質の映像を受信するために要する時間が、前記第１端末が前記第１画質の映像を受信するために要する時間よりも長い場合に、前記選択信号を受信してから前記時間差に相当する時間だけ再生時刻が前記第２画質の映像と異なる前記第１画質の映像を表示させてもよい。
【００１１】
前記第１端末は、前記第１画質の映像に含まれる再生時刻情報に基づくタイミングで、前記第１画質の映像を再生し、前記第２端末は、前記第２画質の映像に含まれる再生時刻情報に基づくタイミングで、前記第２画質の映像を再生してもよい。
【００１２】
前記第２端末は、前記所定の時間が経過した後に、前記第２画質よりも低い画質の映像を再生してから、前記第２画質に近づくように画質を変化させた映像を再生してもよい。
【００１３】
前記第２端末は、前記第１端末から受信した前記第１画質の映像と、ネットワークを介して受信した前記第２画質とを切り替える切替手段と、前記切替手段が切り替えた映像を前記表示装置に出力する出力手段と、を有し、前記表示制御手段は、前記所定の時間が経過した後に、前記切替手段に対して、前記第１画質の映像から前記第２画質の映像に切り替えるための指示を出力し、前記切替手段は、前記指示に応じて前記第１画質の映像を前記第２画質の映像に切り替えてもよい。
【００１４】
本発明の第２の態様においては、第１画質の映像を再生可能な端末から前記第１画質の映像を受信する第１受信手段と、前記第１画質と異なる第２画質の映像をネットワーク経由で受信する第２受信手段と、操作デバイスから出力された、再生する映像を選択するための選択信号を受信する第３受信手段と、前記受信手段が前記選択信号を受信すると、前記第１画質の映像を表示装置に表示させ、前記選択信号を受信してから所定の時間が経過した後に、前記第２画質の映像を前記表示装置に表示させる表示制御手段と、を有する表示制御装置を提供する。
【００１５】
本発明の第３の態様においては、外部装置から第１画質の映像を受信するステップと、前記外部装置から前記第１画質と異なる第２画質の映像を受信するステップと、操作デバイスから出力された、再生する映像を選択するための選択信号を受信するステップと、受信した前記選択信号に応じて、前記第１画質の映像を表示装置に表示させるステップと、前記選択信号を受信してから所定の時間が経過した後に、前記第２画質の映像を前記表示装置に表示させるステップと、を有する表示制御方法を提供する。
【発明の効果】
【００１６】
本発明によれば、異なる画質のコンテンツを再生可能な複数の映像再生装置を用いてコンテンツを再生する際の操作性を向上させることができるという効果を奏する。
【図面の簡単な説明】
【００１７】
【図１】第１の実施形態に係る表示制御システムＳ１の構成を示す図である。
【図２】第２画質の映像信号をディスプレイ３に表示させる場合の表示制御システムＳ１の構成を示す図である。
【図３】表示制御システムＳ１のソフトウェア構成の概要を示す図である。
【図４】第１画質の映像から第２画質の映像に切り替えるまでの画質変化の様子を模式的に示す図である。
【図５】ディスプレイ３に表示される画像の変化の様子を模式的に示す図である。
【図６】第１の実施形態に係る表示制御システムＳ１における制御シーケンスを示す図である。
【図７】第２の実施形態に係る表示制御システムＳ２の構成を示す図である。
【発明を実施するための形態】
【００１８】
＜第１の実施形態＞
［表示制御システムＳ１の構成］
図１は、第１の実施形態に係る表示制御システムＳ１の構成を示す図である。表示制御システムＳ１は、第１映像再生端末１と、第２映像再生端末２とを備える。第１映像再生端末１は、第１画質の映像を再生することができる。本実施形態における第１画質の映像は、１９８０×１０８０画素の画像フレームから構成される映像であるものとする。
【００１９】
第１映像再生端末１は、インターネット及びＣＡＴＶ回線等のネットワークＮ１に接続されているセットトップボックスであり、操作デバイスとしてのリモコン４の操作に応じて、映像配信装置５から映像を受信し、受信した映像を再生する。映像配信装置５は、例えばＶＯＤ（Ｖｉｄｅｏ  Ｏｎ  Ｄｅｍａｎｄ）サーバである。
【００２０】
第２映像再生端末２は、第１映像再生端末１と表示装置としてのディスプレイ３との間を中継する装置であり、第１画質と異なる第２画質の画像を再生することができる。本実施形態における第２画質の映像は、３８４０×２１６０画素の画像フレームから構成される、第１画質の映像よりも高い画質の映像であるものとする。
【００２１】
第２映像再生端末２は、通信回線Ｌを介して第１映像再生端末１と接続されている。通信回線Ｌは、例えばＬＡＮ（Ｌｏｃａｌ  Ａｒｅａ  Ｎｅｔｗｏｒｋ）回線である。第２映像再生端末２は、例えばＤＬＮＡ（Ｄｉｇｉｔａｌ  Ｌｉｖｉｎｇ  Ｎｅｔｗｏｒｋ  Ａｌｌｉａｎｃｅ）により規定されるプロトコルに基づいて、通信回線Ｌ、第１映像再生端末１、ネットワークＮ１を介して、映像配信装置５から配信される映像データを取得し、取得した映像を再生する。
【００２２】
また、第２映像再生端末２は、映像信号を伝送する伝送路Ｈ１により第１映像再生端末１と接続されている。伝送路Ｈ１は、例えばＨＤＭＩ（登録商標）ケーブルである。第２映像再生端末２は、伝送路Ｈ１を介して第１映像再生端末１から受信する映像信号に基づく第１画質の映像、及び通信回線Ｌを介して映像配信装置５から取得した映像データに基づく第２画質の映像のいずれかを選択して、伝送路Ｈ２を介してディスプレイ３に映像を表示させる。伝送路Ｈ２は、例えばＨＤＭＩケーブルである。
【００２３】
［第１映像再生端末１及び第２映像再生端末２の構成］
以下、第１映像再生端末１及び第２映像再生端末２の構成及び動作の詳細について説明する。
第１映像再生端末１は、受信部１１と、第１表示制御部１２とを有する。受信部１１は、ネットワークＮ１を介して、映像配信装置５から映像データを受信する。また、受信部１１は、リモコン４から、再生する映像を選択するための選択信号を受信する。例えば、ユーザは、リモコンを操作して、第１映像再生端末１が再生できる映像を視聴するか、第２映像再生端末２が再生できる映像を視聴するかを切り替えることができる。受信部１１は、受信した選択信号を、通信回線Ｌを介して第２映像再生端末２に通知する。
【００２４】
第１表示制御部１２は、受信部１１が映像配信装置５から受信した映像データをデコードして、第１画質に対応する映像信号を生成し、映像信号を伝送路Ｈ１へと出力することにより、第２映像再生端末２を介して、ディスプレイ３に映像を表示させる。
【００２５】
第２映像再生端末２は、第２表示制御部２１と、切替部２２とを有する。第２表示制御部２１は、通信回線Ｌを介して受信した映像データをデコードして、第２画質に対応する映像信号を生成し、切替部２２へと出力する。また、第２表示制御部２１は、通信回線Ｌを介して入力された選択信号に基づいて、切替部２２を制御する。
【００２６】
切替部２２は、第１表示制御部１２から入力される第１画質の映像信号と、第２表示制御部２１から入力される第２画質の映像信号とを受信し、受信した複数の映像信号を切り替えるスイッチである。切替部２２は、第２表示制御部２１から入力される選択信号に基づいて、第１画質の映像信号及び第２画質の映像信号のいずれかを選択し、選択した映像信号を、伝送路Ｈ２を介してディスプレイ３へと出力する。図１においては、太線で示す経路により、切替部２２が、第１表示制御部１２から入力された第１画質の映像信号をディスプレイ３に出力している。
【００２７】
図２は、第２画質の映像信号をディスプレイ３に表示させる場合の表示制御システムＳ１の構成を示す図である。図２における切替部２２は、太線に示す経路により、第２表示制御部２１から入力された第２画質の映像信号をディスプレイ３に出力する状態になっている。第１画質の映像を視聴中のユーザが、リモコン４を用いて、第２画質の映像を視聴するように操作すると、切替部２２が、図１に示す状態から図２に示す状態に切り替わる。
【００２８】
なお、本実施形態の説明においては、第２表示制御部２１が、選択信号に基づいて切替部２２を制御する表示制御手段として動作する例について説明するが、第１表示制御部１２が、リモコン４から受信した選択信号に基づいて、切替部２２を制御する表示制御手段として機能してもよい。このように、切替部２２を制御する表示制御手段は、第１映像再生端末１及び第２映像再生端末２のいずれに搭載されていてもよい。
【００２９】
図３は、表示制御システムＳ１のソフトウェア構成の概要を示す図である。第１映像再生端末１は、キーキャッチアプリ１１０と、連携アプリ１１１と、映像再生アプリ１１２とを有する。また、第２映像再生端末２は、連携アプリ２１１と、映像再生アプリ２１２とを有する。
【００３０】
キーキャッチアプリ１１０は、リモコン４から受信したキー操作信号を受信するアプリケーションである。キーキャッチアプリ１１０は、受信したキー操作信号を解析し、解析した内容に応じた制御情報を連携アプリ１１１又は映像再生アプリ１１２に通知する。
【００３１】
連携アプリ１１１は、第１映像再生端末１と第２映像再生端末２とが連携した動作をするための制御情報を連携アプリ２１１との間で送受信するアプリケーションである。連携アプリ１１１は、例えば、リモコン４から受信した選択信号に基づく制御情報を連携アプリ２１１に通知する。
【００３２】
映像再生アプリ１１２は、映像配信装置５から受信した第１画質の映像データをデコードして映像信号を生成するアプリケーションである。映像再生アプリ１１２は、キーキャッチアプリ１１０からの指示に応じて、映像データのデコード処理を開始することにより、第１画質の映像の再生を開始する。
【００３３】
連携アプリ２１１は、連携アプリ１１１と同様に、第１映像再生端末１と第２映像再生端末２とが連携した動作をするための制御情報を連携アプリ１１１との間で送受信するアプリケーションである。連携アプリ２１１は、連携アプリ１１１から選択信号に基づく制御情報を受信し、受信した制御情報に基づいて映像再生アプリ２１２に、第２画質の映像の再生を開始するように指示する。
【００３４】
映像再生アプリ２１２は、映像配信装置５から受信した第２画質の映像データをデコードして映像信号を生成するアプリケーションである。映像再生アプリ１１２は、キーキャッチアプリ１１０からの指示に応じて、映像データのデコード処理を開始することにより映像の再生を開始する。
【００３５】
［映像の切り替えタイミングの制御］
第２映像再生端末２が第２画質の映像データを受信し始めてから第２画質の映像の再生を開始できるまでに要する時間は、第１映像再生端末１が第１画質の映像データを受信し始めてから第１画質の映像の再生を開始できるまでの時間よりも長いことがある。そこで、第２表示制御部２１は、受信部１１が選択信号を受信すると、第１映像再生端末１が再生した第１画質の映像をディスプレイ３に表示させ、受信部１１が選択信号を受信してから所定の時間が経過した後に、第２映像再生端末２が再生した第２画質の映像をディスプレイ３に表示させるように切替部２２を制御する。
【００３６】
第２表示制御部２１は、第１映像再生端末１を介して選択信号を受信すると、まず、切替部２２に、選択信号に対応するチャネルの第１画質の映像データを選択させる。その後、第２表示制御部２１は、第２映像再生端末２が第２画質の映像を再生できる状態になったタイミングで、第１画質の映像を第２画質の映像に切り替えるように制御する。
【００３７】
例えば、第１映像再生端末１においては、キーキャッチアプリ１１０が選択信号を受信したことに応じて、映像再生アプリ１１２が第１画質の映像の再生を開始し、第２映像再生端末２に映像を出力する。切替部２２は、第１画質の映像をディスプレイ３に出力する。そして、連携アプリ２１１は、選択信号を含む制御情報を受信したことに応じて、映像再生アプリ２１２に対して第２画質の映像の再生を開始するように指示し、映像再生アプリ２１２から、映像の再生を開始できる旨の通知を受けた時点で、切替部２２に対して、第１画質の映像を第２画質の映像に切り替えるように指示する。切替部２２は、指示に応じて、第１画質の映像を第２画質の映像に切り替える。
【００３８】
ここで、第１映像再生端末１が第１画質の映像データを受信し始めてから第１画質の映像の再生を開始できるまでの時間と、第２映像再生端末２が第２画質の映像データを受信し始めてから第２画質の映像の再生を開始できるまでに要する時間との時間差は、第１映像再生端末１及び第２映像再生端末２の性能、動作状態、並びに通信回線Ｌの状態等に応じて変動するが、時間差の最大値を予め推定することは可能である。そこで、第２表示制御部２１は、第１映像再生端末１が第１画質の映像を再生できるタイミングと、第２映像再生端末２が第１画質の映像に対応する第２画質の映像を再生できるタイミングとの時間差に基づいて、第２画質の映像を表示させるタイミングを制御してもよい。
【００３９】
例えば、連携アプリ２１１は、第２画質の映像の再生を開始するように映像再生アプリ２１２に指示してから、予め定められた時間差の最大値が経過した後に、第１画質の映像から第２画質の映像に切り替えるように切替部２２に指示する。連携アプリ２１１は、第１映像再生端末１の仕様、第１映像再生端末１の動作状態、第２映像再生端末２の仕様、第２映像再生端末２の動作状態及び通信回線Ｌの状態等に基づいて時間差の最大値を推定し、推定した結果に基づくタイミングで、切替部２２の接続状態を切り替えてもよい。
【００４０】
第２表示制御部２１が以上のように制御することで、第２画質の映像の再生を開始するまでに時間を要する場合であっても、ユーザは、リモコン４を操作してから速やかに第１画質の映像の視聴を開始し、その後、第２画質の映像の再生が可能になった時点で第２画質の映像を視聴することができる。したがって、ユーザが違和感を抱くことなく映像を視聴することができる。しかしながら、第１映像再生端末１及び第２映像再生端末２が、同一の映像を異なる画質で再生する際に、第１映像再生端末１で再生する時間の方が早い場合、切替部２２が第１画質の映像から第２画質の映像に切り替えるタイミングで、画像が乱れてしまう。
【００４１】
そこで、第２表示制御部２１は、第２映像再生端末２が第２画質の映像を受信するために要する時間が、第１映像再生端末１が第１画質の映像を受信するために要する時間よりも長い場合に、まず、選択信号を受信してから時間差に相当する時間だけ再生時刻が前記第２画質の映像と異なる第１画質の映像を表示させてもよい。例えば、リモコン４から選択信号を受信した受信部１１は、映像配信装置５に対して時間差を通知し、映像配信装置５は、第２映像再生端末２が再生する第２画質の映像データに対して時間差分だけずらした第２画質の映像データを第１映像再生端末１に送信する。具体的には、映像配信装置５は、時刻Ｔにおいて再生される第２画質の映像データとともに、「時刻Ｔ＋時間差」の時刻において再生される第１画質の映像データを第１映像再生端末１に送信する。
【００４２】
このようにすることで、第１映像再生端末１が第１画質の映像を再生するタイミングと、第２映像再生端末２が第２画質の映像を再生するタイミングとが同期するので、切替部２２が第１画質の映像から第２画質の映像に切り替えるタイミングで画像が乱れることを防止できる。この場合、第２表示制御部２１は、第１画質の映像に含まれる再生時刻情報に基づくタイミングで、第１画質の映像を再生し、第２端末は、第２画質の映像に含まれる再生時刻情報に基づくタイミングで、第２画質の映像を再生することにより、第１画質の映像の再生タイミングと第２画質の映像の再生タイミングとを同期させることができる。
【００４３】
図４は、第１画質の映像から第２画質の映像に切り替えるまでの画質変化の様子を模式的に示す図である。図４に示すように、第２映像再生端末２は、選択信号を受信してから所定の時間が経過し、第２画質の映像に切り替えることができるタイミングになった後に、第２画質よりも低い画質の映像を再生してから、第２画質に近づくように画質を変化させた映像を再生してもよい。このようにすることで、第１画質から第２画質への切り替わりが滑らかになるので、ユーザが、画質が切り替わったことに気付くことなく映像を視聴することが可能になる。
【００４４】
図５は、ユーザが頻繁にチャネルを切り替えるザッピングを行った場合にディスプレイ３に表示される画像の変化の様子を模式的に示す図である。図５は、ユーザが第２画質の映像１に対応するチャネル１を選択したところから開始している。ユーザがチャネル１を選択すると、まず、図５（ａ）に示すように、ディスプレイ３には第１画質の映像１が表示される。その後、所定の時間が経過した後に、図５（ｂ）に示すように第２画質の映像１が表示される。
【００４５】
この状態で、ユーザがチャネル２を選択すると、図５（ｃ）に示すように、第１画質の映像２が表示される。その後、所定の時間が経過する前にユーザがチャネル３を選択すると、図５（ｄ）に示すように、第１画質の映像３が表示される。その後、所定の時間が経過すると、図５（ｅ）に示すように、第２画質の映像３が表示される。
【００４６】
このように、本実施形態に係る表示制御システムＳ１においては、第２画質の映像の再生を開始するまでに、第１画質の映像の再生を開始するまでよりも長い時間を要する場合であっても、ユーザのチャネル操作に応じて短時間で映像を切り替えることができるので、ユーザの満足度を高めることができる。
【００４７】
［制御シーケンス］
図６は、第１の実施形態に係る表示制御システムＳ１における制御シーケンスを示す図である。図６は、図５に示した動作に対応する制御シーケンスである。
まず、第１映像再生端末１は、リモコン４から、チャネル１に対応する選択信号１を受信すると（Ｓ１１）、選択信号１を第２映像再生端末２に送信する。第１映像再生端末１は、選択信号１に応じて、第１画質の映像１の再生を開始し（Ｓ１２）、映像１を第２映像再生端末２へと出力する。第２映像再生端末２は、選択信号１に応じて、第２画質の映像１の再生の準備を開始するとともに、第１画質の映像１をディスプレイ３に出力して表示させる（Ｓ２１）。
【００４８】
続いて、第２映像再生端末２においては、所定の時間が経過したかどうかを監視し（Ｓ２２）、所定の時間が経過すると（Ｓ２２においてＹＥＳ）、第２画質の映像１をディスプレイ３に出力して表示させる（Ｓ２３）。
【００４９】
続いて、第１映像再生端末１は、リモコン４から、チャネル２に対応する選択信号２を受信すると（Ｓ１３）、選択信号２を第２映像再生端末２に送信する。第２映像再生端末２は、選択信号２に応じて、第１画質の映像２の再生を開始し（Ｓ１４）、映像２を第２映像再生端末２へと出力する。第２映像再生端末２は、選択信号２に応じて、第２画質の映像２の再生の準備を開始するとともに、第１画質の映像２をディスプレイ３に出力して表示させる（Ｓ２４）。
【００５０】
続いて、第１映像再生端末１は、リモコン４から、チャネル３に対応する選択信号３を受信すると（Ｓ１５）、選択信号３を第２映像再生端末２に送信する。第１映像再生端末１は、選択信号３に応じて、第１画質の映像３の再生を開始し（Ｓ１６）、映像３を第２映像再生端末２へと出力する。第２映像再生端末２は、選択信号３に応じて、第２画質の映像３の再生の準備を開始するとともに、第１画質の映像３をディスプレイ３に出力して表示させる（Ｓ２５）。第２映像再生端末２は、所定の時間が経過したかどうかを監視し（Ｓ２６）、所定の時間が経過すると（Ｓ２６においてＹＥＳ）、第２画質の映像３をディスプレイ３に出力して表示させる（Ｓ２７）。
【００５１】
（変形例）
第２表示制御部２１は、第１画質の映像と第２画質の映像とを切り替えたことが目立ちにくい画像フレームのタイミングで、第１画質の映像から第２画質の映像に切り替えてもよい。切り替えたことが目立ちにくい画像フレームは、例えば、黒画質が多い画像フレームである。映像配信装置５が、切り替えたことの目立ちやすさを示す情報と画像フレームの時刻情報又は識別情報とを関連付けて記憶しておき、第２表示制御部２１からの要求に応じて、要求を受けてから所定の時間内に、切り替えたことが目立ちにくい画像フレームの時刻情報又は識別情報を第２表示制御部２１に通知することにより、実現することができる。なお、映像配信装置５が配信する映像データに、定常的に、切り替えたことの目立ちやすさを示す情報を埋め込んでおいてもよい。
【００５２】
また、第１映像再生端末１が再生する映像の第１画質は、第２映像再生端末２が映像を再生する能力に応じて変化させてもよい。例えば、第１映像再生端末１は、第２映像再生端末２の機種名を特定する情報を取得し、第２映像再生端末２が再生する映像の画質である第２画質と第１画質との差が所定の範囲内になるように調整することにより、ユーザが、画質が切り替わったことを認識しづらくすることができる。
【００５３】
また、第１映像再生端末１は、第１映像再生端末１に接続されている端末の数に応じて画質を変化させてもよい。例えば、第１映像再生端末１に、第２映像再生端末２と同等の機能の端末がより多く接続されている場合、第１映像再生端末１は、再生する映像の画質を、端末数が少ない時に比べて劣化させてもよい。
【００５４】
［第１の実施形態における効果］
以上説明したように、第１の実施形態に係る表示制御システムＳ１は、受信部１１がリモコン４から選択信号を受信すると、第１映像再生端末１が再生した第１画質の映像をディスプレイ３に表示させ、受信部１１が選択信号を受信してから所定の時間が経過した後に、第２映像再生端末２が再生した第２画質の映像をディスプレイ３に表示させる。このようにすることで、ユーザは、１つのリモコン４を用いて第１映像再生端末１を操作するだけで、第１映像再生端末１で再生できる第１画質の映像と、第２映像再生端末２で再生できる第２画質の映像とを切り替えることができるので、異なる画質のコンテンツを再生する際の操作性が向上する。また、ユーザが操作してから速やかに第１画質の映像が表示されるので、ユーザの満足度を高めることができる。
【００５５】
また、第２表示制御部２１は、第１映像再生端末１が第１画質の映像を再生できるタイミングと、第２映像再生端末２が第２画質の映像を再生できるタイミングとの時間差に基づいて、第２画質の映像を表示させるタイミングを制御することにより、第２映像再生端末２がＤＬＮＡ経由で映像データを取得する場合のように、第２映像再生端末２が映像の再生を開始できるまでに時間を要する場合であっても、適切なタイミングで第１画質の映像を第２画質の映像に切り替えることができる。
【００５６】
さらに、第２映像再生端末２がネットワーク経由で第２画質の映像を受信するために要する時間が、第１映像再生端末１が第１画質の映像を受信するために要する時間よりも長い場合に、第２映像再生端末２は、選択信号を受信してから時間差に相当する時間だけ再生時刻が第２画質の映像と異なる第１画質の映像を表示させるので、第１画質の映像から第２画質の映像に切り替わるタイミングで画質が乱れることを防止できる。
【００５７】
表示制御システムＳ１が上記の構成を有することにより、例えば、第１映像再生端末１を使用してきたユーザが、第１映像再生端末１では再生できない高画質の映像を再生できる第２映像再生端末２を購入した場合に、ユーザは、第１映像再生端末１を使用しつつ、第２映像再生端末２の機能を活用することができる。この場合、第２映像再生端末２が受信部１１に相当する機能を有する必要がないので、第２映像再生端末２のコストを低減することができるという効果も生じる。
【００５８】
＜第２の実施形態＞
第１の実施形態においては、第１映像再生端末がセットトップボックスであり、第２映像再生端末が第１映像再生端末１とディスプレイ３との間に設けられる中継装置である例について説明したが、第２の実施形態においては、第１映像再生端末がスマートフォン又はタブレット等の端末である点で、第１の実施形態と異なる。
【００５９】
図７は、第２の実施形態に係る表示制御システムＳ２の構成を示す図である。表示制御システムＳ２は、第１映像再生端末１０と、第２映像再生端末２０とを有する。第１映像再生端末１０は、第１映像再生端末であり、無線により携帯電話通信網又はＷｉ−Ｆｉ（登録商標）等に接続可能なスマートフォン又はタブレット等である。第２映像再生端末２０は、ネットワークＮ１に接続されるとともに、無線ＬＡＮ回線（ＷＬＡＮ）を介して、第１映像再生端末１０との間で通信できる無線アクセスポイントである。第２映像再生端末２０は、伝送路Ｈ２を介してディスプレイ３に接続されている。
【００６０】
第１映像再生端末１０は、受信部１３と、第１表示制御部１４と、表示部１５と、無線部１６とを有する。受信部１３は、無線通信網Ｎ２に接続される無線通信インターフェイスであり、ネットワークＮ１及び無線通信網Ｎ２を介して、映像配信装置５から映像データを受信する。
【００６１】
第１表示制御部１４は、図１に示した第１の実施形態における第１表示制御部１２に対応しており、受信部１３から受信した映像データをデコードして、デコード後の第１画質の映像を表示部１５に表示させる。また、第１表示制御部１４は、表示部１５に表示させた映像を、無線部１６を介して第２映像再生端末２０に送信することにより、第１画質の映像を、第２映像再生端末２に接続されたディスプレイ３に表示させることもできる。
【００６２】
無線部１６は、無線ＬＡＮインターフェイスであり、第１表示制御部１４から入力された第１画質の映像を第２映像再生端末２０に送信する。また、無線部１６は、第１映像再生端末１０のユーザの操作に応じた選択信号を第２映像再生端末２０に送信する。例えば、無線部１６は、ユーザが画面にタッチすることによりチャネルを切り替える操作をした場合に、切り替え後のチャネルを示す選択信号を第２映像再生端末２０に送信する。
【００６３】
第２映像再生端末２０は、第１の実施形態における第２表示制御部２１及び切替部２２に加えて、無線部２３を有する。無線部２３は、第１映像再生端末１０から受信した映像データを受信し、受信した映像データを切替部２２へと出力する。本実施形態における切替部２２は、無線部２３が第１映像再生端末１０から受信する選択信号に基づいて、無線部２３から入力される第１画質の映像と、第２表示制御部２１から入力される第２画質の映像とを切り替えることができる。
【００６４】
例えば、ユーザがチャネルを切り替える操作をした場合、無線部２３は、まず、第２表示制御部２１に、選択信号が示すチャネルの映像データを映像配信装置５から取得して再生するように指示する。そして、無線部２３は、所定の時間が経過した後に、切替部２２に、無線部２３から入力される第１画質の映像から、第２表示制御部２１から入力される第２画質の映像に切り替えるように指示する。このようにすることで、ユーザは、第１映像再生端末１０を操作することによりチャネルを切り替えるとともに、適切な画質の映像を視聴することができる。
【００６５】
第１画質の映像と第２画質の映像とを切り替えるタイミングの制御方法は、第１の実施形態と同様の方法を適用できるが、本実施形態においては、第１の画質の映像が再生されるまでの時間が、第２の画質の映像が再生されるまでの時間よりも長いことが想定される。このような場合、第２表示制御部２１は、第１の画質の映像が再生されるまでの時間と、第２の画質の映像が再生されるまでの時間との時間差に相当する時間だけ遅延させて、第２の画質の映像を再生してもよい。
【００６６】
［第２の実施形態における効果］
以上説明したように、第２の実施形態に係る表示制御システムＳ２においては、第１映像再生端末１０及び第２映像再生端末２０を用いて、異なる画質の映像をディスプレイ３に表示させることができる。ユーザは、第１映像再生端末１０を操作するだけで、第１映像再生端末１０で再生できる第１画質の映像と、第２映像再生端末２０で再生できる第２画質の映像とを切り替えることができるので、異なる画質の映像をディスプレイ３に表示できる装置が複数ある場合の操作性を向上させることができる。
【００６７】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。特に、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。
【００６８】
例えば、上記の説明において、第１画質の映像と第２画質の映像との間で画素数が異なる場合について説明したが、映像の画質は画素数に限らない。例えば、第２画質の映像のフレームレートが、第１画質の映像のフレームレートよりも大きい場合、Ｈ．２６４とＨ．２６５のように圧縮フォーマットが異なる場合等、任意の画質の差が存在する場合に、本発明を適用することができる。また、ＨＣＣＰのバージョン１．４とバージョン２．１のように、映像の再生に要求されるハードウェア要件が異なる場合にも、本発明を適用することができる。
【符号の説明】
【００６９】
１  第１映像再生端末
２  第２映像再生端末
３  ディスプレイ
４  リモコン
５  映像配信装置
１０  第１映像再生端末
１１  受信部
１２  第１表示制御部
１３  受信部
１４  第１表示制御部
１５  表示部
１６  無線部
２０  第２映像再生端末
２１  第２表示制御部
２２  切替部
２３  無線部
１１０  キーキャッチアプリ
１１１  連携アプリ
１１２  映像再生アプリ
２１１  連携アプリ
２１２  映像再生アプリ
【図１】
2017058431.tif 000003
【図２】
2017058431.tif 000004
【図３】
2017058431.tif 000005
【図４】
2017058431.tif 000006
【図５】
2017058431.tif 000007
【図６】
2017058431.tif 000008
【図７】
2017058431.tif 000009